(57)【要約】【課題】  より簡単に、作業性良くロープを固定することができるロープ固定具を提供する。【解決手段】  ロープ固定具１は、ロープ３を固定する固定部１０を備える。固定部１０には、第１溝１００、第２溝、及び、ガイド溝３００が設けられる。第１溝１００は、延在方向の両端部が開口すると共にロープ３が嵌まり込む。第２溝２００は、第１溝１００とは異なる位置に設けられ、延在方向の両端部が開口すると共にロープ３が嵌まり込む。ガイド溝３００は、第１溝１００の延在方向の一の端部から第２溝２００の延在方向の一の端部に亘って設けられると共にロープ３をガイドする。【選択図】  図１
2014152868.tif 000002
【特許請求の範囲】
【請求項１】
ロープを固定する固定部を備えるロープ固定具であって、
前記固定部には、
延在方向の両端部が開口すると共に前記ロープが嵌まり込む第１溝と、
前記第１溝とは異なる位置に設けられ、延在方向の両端部が開口すると共に前記ロープが嵌まり込む第２溝と、
前記第１溝の延在方向の一の端部から前記第２溝の延在方向の一の端部に亘って設けられると共に前記ロープをガイドするガイド溝と、
が設けられるロープ固定具。
【請求項２】
前記第１溝は、
前記第１溝の底部に位置し、前記ロープを保持する第１保持部と、
前記第１保持部に前記ロープを導入する第１導入部と、
を有し、
前記第２溝は、
前記第２溝の底部に位置し、前記ロープを保持する第２保持部と、
前記第２保持部に前記ロープを導入する第２導入部と、
を有し、
前記第１導入部及び前記第２導入部は、それぞれ、前記ロープの導入方向において屈曲する、
請求項１に記載のロープ固定具。
【請求項３】
前記第１導入部における前記第１保持部につながる側の端部には、前記第１導入部の幅を狭める方向に突出する第１凸部が設けられ、
前記第２導入部における前記第２保持部につながる側の端部には、前記第２導入部の幅を狭める方向に突出する第２凸部が設けられる、
請求項２に記載のロープ固定具。
【請求項４】
前記第１溝の延在方向及び前記第２溝の延在方向は互いに同じである、請求項１〜３のいずれか一項に記載のロープ固定具。
【請求項５】
前記固定部は、円筒形状を有し、
前記第１溝、前記第２溝、及び、前記ガイド溝は、前記固定部の外周面に設けられる、
請求項１〜４のいずれか一項に記載のロープ固定具。
【請求項６】
支柱に係合する係合部を更に備える、請求項１〜５のいずれか一項に記載のロープ固定具。
【請求項７】
前記固定部につながる支柱部を更に備える、請求項１〜５のいずれか一項に記載のロープ固定具。
【発明の詳細な説明】
【技術分野】
【０００１】
本発明は、ネットを張るため等に用いるロープを固定するロープ固定具に関する。
【背景技術】
【０００２】
シカやカモシカ等の野生動物が菜園や庭等に侵入することを防ぐためにネットを設置することがある。ネットを設置する場合、一般に、ネットの縁部に設けられたロープを、立設させた支柱の上端に固定している。
【０００３】
このようなネットを弛まないように張るためには、ロープの上下方向の位置がずれないように、ロープを支柱に固定する必要がある。そこで、ロープを支柱に固定するものとして、例えば、特許文献１に記載されたものがある。特許文献１に記載されたロープ固定具（支柱キャップ）は、ロープ固定具に設けられた孔にロープを折り曲げた状態で通し、孔に通されたロープの端部をロープ固定具に引っ掛けることでロープを固定している。
【先行技術文献】
【特許文献】
【０００４】
【特許文献１】特開２０１２−１５２１３１号公報
【発明の概要】
【発明が解決しようとする課題】
【０００５】
しかしながら、特許文献１に記載されたロープ固定具では、ロープを折り曲げて孔に通す必要があり、例えば、暗闇の中での作業が困難である等、ロープを固定するための作業が煩雑であり、作業性が悪い。このため、この種の技術分野では、作業性良くロープを固定することができるロープ固定具が望まれている。
【０００６】
そこで、本発明は、より簡単に、作業性良くロープを固定することができるロープ固定具を提供することを目的とする。
【課題を解決するための手段】
【０００７】
本発明のロープ固定具は、ロープを固定する固定部を備える。固定部には、第１溝と、第２溝と、ガイド溝とが設けられる。第１溝は、延在方向の両端部が開口すると共にロープが嵌まり込む。第２溝は、第１溝とは異なる位置に設けられ、延在方向の両端部が開口すると共にロープが嵌まり込む。ガイド溝は、第１溝の延在方向の一の端部から第２溝の延在方向の一の端部亘って設けられると共にロープをガイドする。
【０００８】
このロープ固定具では、第１溝に嵌め込んだロープをガイド溝でガイドしながら固定部に巻き付けて第２溝に嵌め込むことで、ロープと固定部との摩擦を利用してロープを固定部により確実に固定することができる。また、ロープを第１溝及び第２溝に嵌め込み、且つ、ロープを固定部の周囲に巻き付けるだけでロープを固定することができ、ロープを孔に通すといった作業が不要であるため、より簡単に、作業性良くロープを固定することができる。
【０００９】
第１溝は、第１溝の底部に位置し、ロープを保持する第１保持部と、第１保持部にロープを導入する第１導入部と、を有することが好ましい。また、第２溝は、第２溝の底部に位置し、ロープを保持する第２保持部と、第２保持部にロープを導入する第２導入部と、を有することが好ましい。この場合、第１導入部及び第２導入部は、それぞれ、ロープの導入方向において屈曲することが好ましい。このように、第１導入部及び第２導入部がロープの導入方向において屈曲していることで、第１保持部及び第２保持部によって保持されたロープがそれぞれ第１導入部及び第２導入部を通って第１溝及び第２溝から外れ難くなる。これにより、ロープが振れた場合であっても、ロープがロープ固定具から外れてしまうことを抑制することができる。
【００１０】
第１導入部における第１保持部につながる側の端部には、第１導入部の幅を狭める方向に突出する第１凸部が設けられることが好ましい。また、第２導入部における第２保持部につながる側の端部には、第２導入部の幅を狭める方向に突出する第２凸部が設けられることが好ましい。この場合には、第１凸部及び第２凸部によって、それぞれ、第１保持部及び第２保持部からロープが飛び出すことが抑制される。これにより、ロープが振れた場合であっても、ロープがロープ固定具から外れてしまうことをより一層抑制することができる。
【００１１】
第１溝の延在方向及び第２溝の延在方向は互いに同じとすることができる。この場合には、直線状に張られたロープの中間部分を、ロープ固定具によって固定することができる。
【００１２】
固定部は、円筒形状を有し、第１溝、第２溝、及び、ガイド溝は、固定部の外周面に設けられることが好ましい。固定部が円筒形状を有する場合、第１溝の延在方向の一の端部から第２溝の延在方向の一の端部亘ってロープを固定部に容易に巻き付けることができる。
【００１３】
ロープ固定具は、支柱に係合する係合部を更に備えていてもよい。この場合には、ロープ固定具を支柱に容易に係合させることができ、ロープ固定具の設置が容易となる。
【００１４】
ロープ固定具は、固定部につながる支柱部を更に備えていてもよい。この場合には、支柱部を地中等に差し込むことでロープ固定具を容易に設置することができる。
【発明の効果】
【００１５】
本発明によれば、より簡単に、作業性良くロープを固定することができる。
【図面の簡単な説明】
【００１６】
【図１】実施形態に係るロープ固定具によってロープを固定した状態を示す斜視図である。
【図２】図１のロープ固定具を第１溝の一方の端部側から見た側面図である。
【図３】図１のロープ固定具をガイド溝側から見た側面図である。
【図４】図１のロープ固定具を第１溝の他方の端部側から見た側面図である。
【図５】図１のロープ固定具を第１溝の第１導入部側から見た側面図である。
【図６】図１のロープ固定具の底部を示す斜視図である。
【図７】図１のロープ固定具を支柱の上端に取り付けた状態を示す図である。
【図８】ロープ固定具の変形例を示す図である。
【発明を実施するための形態】
【００１７】
以下、本発明の好適な実施形態について図面を参照しながら説明する。なお、図面の説明において同一の要素には同一の符号を付し、重複する説明を省略する。
【００１８】
図１に示すように、ロープ固定具１は、ロープ３を固定するものである。ロープ固定具１は、支柱２の上端に取り付けられる。本実施形態においてロープ固定具１は、ネットの縁部に設けられたロープ３を固定するために用いられる。なお、図１では、ネットに設けられたロープ３のみを図示し、ネット部分は省略している。
【００１９】
図１〜図７に示すように、ロープ固定具１は、固定部１０、及び、係合部２０（図６参照）を含んで構成される。固定部１０は、円筒形状を有する。固定部１０には、ロープ３が巻き付けられる。固定部１０は、巻き付けられたロープ３を固定する。係合部２０は、固定部１０における円筒形状の軸線方向における一方の端部に設けられ、支柱２の上端に係合する（図７参照）。なお、以下では、ロープ固定具１の構成を説明する際に、係合部２０に対して固定部１０が設けられている側を「上」、固定部１０に対して係合部２０が設けられている側を「下」として各部の配置を説明する。
【００２０】
固定部１０には、第１溝１００、第２溝２００、及び、ガイド溝３００が設けられる。第１溝１００には、ロープ３が嵌まり込む。第１溝１００は、固定部１０の径方向（固定部１０の円筒形状の軸線に対して直交する方向）に沿って延在する。第１溝１００の延在方向の両端部は、固定部１０の外周面に開口する。第１溝１００の溝幅は、固定するロープ３の太さに応じて設定される。
【００２１】
より詳細には、第１溝１００は、第１保持部１１０、及び、第１導入部１２０を有する。第１保持部１１０は、第１溝１００の底部に位置し、第１溝１００に嵌め込まれたロープ３を保持する。第１導入部１２０は、第１保持部１１０につながり、第１保持部１１０にロープ３を導入する。
【００２２】
第１導入部１２０は、第１保持部１１０へのロープ３の導入方向において屈曲している。より詳細には、第１導入部１２０は、固定部１０の外周面から第１保持部１１０へ至るまでの間において、固定部１０の外周面から上側に向かって延び、その後、下方に向かって延びて第１保持部１１０につながる。第１導入部１２０における第１保持部１１０につながる側の端部には、第１導入部１２０の幅を狭める方向に突出する第１凸部１３０が設けられる。
【００２３】
第２溝２００には、ロープ３が嵌まり込む。第２溝２００は、固定部１０の径方向に沿って延在する。第２溝２００の延在方向の両端部は、固定部１０の外周面に開口する。第２溝２００は、第１溝１００よりも下側の位置に設けられる。また、第１溝１００の延在方向と第２溝２００の延在方向とは同じである。第２溝２００の溝幅は、固定するロープ３の太さに応じて設定される。
【００２４】
より詳細には、第２溝２００は、第２保持部２１０、及び、第２導入部２２０を有する。第２保持部２１０は、第２溝２００の底部に位置し、第２溝２００に嵌め込まれたロープ３を保持する。第２導入部２２０は、第２保持部２１０につながり、第２保持部２１０にロープ３を導入する。
【００２５】
第２導入部２２０は、第２保持部２１０へのロープ３の導入方向において屈曲している。より詳細には、第２導入部２２０は、固定部１０の外周面から第２保持部２１０へ至るまでの間において、固定部１０の外周面から上側に向かって延び、その後、下方に向かって延びて第２保持部２１０につながる。第２導入部２２０における第２保持部２１０につながる側の端部には、第２導入部２２０の幅を狭める方向に突出する第２凸部２３０が設けられる。
【００２６】
ガイド溝３００は、固定部１０の外周面において、第１保持部１１０における第１保持部１１０の延在方向の一の端部１１０ａから、第２保持部２１０における第２保持部２１０の延在方向の一の端部２１０ａに亘って設けられる。なお、第１保持部１１０における一の端部１１０ａと、第２保持部２１０の一の端部２１０ａとは、固定部１０における円筒形状の軸線を挟んで略対向する。ガイド溝３００は、第１保持部１１０における端部１１０ａと、第２保持部２１０の端部２１０ａとの間において、ロープ３をガイドする。ガイド溝３００の溝幅は、固定するロープ３の太さに応じて設定される。
【００２７】
次に、ロープ固定具１によるロープ３の固定手順について説明する。まず、第１溝１００の第１保持部１１０にロープ３を嵌め込む。ここでは、第１導入部１２０を介して第１保持部１１０へロープ３を嵌め込んでもよく、第１保持部１１０の端部から第１保持部１１０にロープ３を挿入してもよい。
【００２８】
次に、第１保持部１１０の端部１１０ａから延びるロープ３を、ガイド溝３００に沿って固定部１０の外周面に巻き付けて、第２溝２００に導く。そして、第２溝２００に導かれたロープ３を、第２溝２００の第２保持部２１０に嵌め込む。ここでは、第２導入部２２０を介して第２保持部２１０へロープ３を嵌め込んでもよく、第２保持部２１０の端部から第２保持部１１０にロープ３を挿入してもよい。
【００２９】
なお、第１保持部１１０にロープ３を嵌め込んだ後に、第２保持部２１０にロープ３を嵌め込むものとしたが、第１保持部１１０及び第２保持部２１０のうち、ロープ３を嵌め込む順序は問わない。
【００３０】
次に、第１保持部１１０及び第２保持部２１０から延びるロープ３の両端を引っ張る。これにより、ロープ固定具１がロープ３によって締め付けられ、ロープ３と、第１保持部１１０及び第２保持部２１０との摩擦力により、ロープ３がロープ固定具１に固定され、緩みが抑制される。
【００３１】
本実施形態は以上のように構成され、ロープ固定具１では、第１溝１００に嵌め込んだロープ３をガイド溝３００でガイドしながら固定部１０に巻き付けて第２溝２００に嵌め込むことで、ロープ３と固定部１０との摩擦を利用してロープ３を固定部１０により確実に固定することができる。また、第１溝１００及び第２溝１００にロープ３を嵌め込み、且つ、ロープ３を固定部１０の周囲に巻き付けるだけでロープ３を固定することができ、ロープ３を孔に通すといった作業が不要であるため、より簡単に、作業性良くロープ３を固定することができる。
【００３２】
第１導入部１２０及び第２導入部２２０がロープ３の導入方向において屈曲していることで、第１保持部１１０及び第２保持部２１０によって保持されたロープ３がそれぞれ第１導入部１２０及び第２導入部２２０を通って第１溝１００及び第２溝２００から外れ難くなる。これにより、ロープが３振れた場合であっても、ロープ３がロープ固定具１から外れてしまうことを抑制することができる。本実施形態においては、例えば、ロープ３が上側に振れた（ロープ３が浮いた）場合、第１導入部１２０及び第２導入部２２０が上述した図２に示すように屈曲していることで、ロープ３には第１導入部１２０及び第２導入部２２０の開口方向（下側方向）に力が加わることがなく、ロープ３のロープ固定具１からの脱落が抑制される。また、ロープ３が下側に振れた場合、第１保持部１１０の底部及び第２保持部２１０の底部にロープ３が押し付けられることなり、ロープ３のロープ固定具１からの脱落が防止される。
【００３３】
第１凸部１３０及び第２凸部２３０を設けることで、第１保持部１１０及び第２保持部２１０からロープ３が飛び出すことが抑制される。これにより、ロープ３が振れた場合であっても、ロープ３がロープ固定具１から外れてしまうことをより一層抑制することができる。
【００３４】
第１溝１００の延在方向及び第２溝２００の延在方向を互いに同じとすることで、直線状に張られたロープ３の中間部分を、ロープ固定具１によって固定することができる。
【００３５】
固定部１０が円筒形状を有していることで、第１溝１００の延在方向の一の端部から第２溝２００の延在方向の一の端部亘ってロープ３を固定部１０に容易に巻き付けることができる。
【００３６】
ロープ固定具１に係合部２０を設けることで、ロープ固定具１を支柱２に容易に係合させることができ、ロープ固定具１の設置が容易となる。
【００３７】
また、ロープ固定具１は、円柱形状を有しており、ロープ３を固定するための突起等が固定部１０から突出していない。このため、携帯性や収納性が優れたロープ固定具１となる。
【００３８】
以上、本発明の一実施形態について説明したが、本発明は、上記実施形態に限定されるものではない。例えば、図８に示すように、ロープ固定具１Ａの固定部１０の下方に固定部１０につながる支柱部３０を備えていてもよい。この場合には、支柱部３０を地中等に差し込むことでロープ固定具１Ａを容易に設置することができる。
【００３９】
また、第１溝１００の壁面及び第２溝２００の壁面に凹凸を設けてもよい。この場合には、ロープ３と第１溝１００の壁面及び第２溝２００の壁面との摩擦抵抗を大きくすることができ、ロープ３が第１溝１００及び第２溝２００から外れてしまうことをより一層抑制することができる。また、ガイド溝３００の壁面に凹凸を設けても同様の効果を得ることができる。
【００４０】
また、上記では、１本のロープ３を固定するロープ固定具１について説明したが、ロープ固定具により２本のロープ３を固定することもできる。この場合、ロープ固定具の固定部に、上述した第１溝１００、第２溝２００及びガイド溝３００により構成される第１の基本構成と、上述した第１溝１００、第２溝２００及びガイド溝３００により構成される第２の基本構成とを設ける。なお、例えば、第１の基本構成における第１溝１００及び第２溝２００の延在方向と、第２の基本構成における第１溝１００及び第２溝２００の延在方向とが互いに９０度ずれた状態となるように第１の基本構成及び第２の基本構成を設けることができる。この場合には、互いに直交する２本のロープ３の交点において、２本のロープ３をロープ固定具によって固定することができる。
【００４１】
また、上記では、ネットに設けられたロープ３をロープ固定具１によって固定するものとしたが、ネットのロープ３以外にも、他のロープをロープ固定具１によって固定することができる。例えば、支柱２が倒れないようにするためのロープ３をロープ固定具１によって固定することができる。
【符号の説明】
【００４２】
１…ロープ固定具、２…支柱、３…ロープ、１０…固定部、２０…係合部、３０…支柱部、１００…第１溝、１１０…第１保持部、１２０…第１導入部、１３０…第１凸部、２００…第２溝、２１０…第２保持部、２２０…第２導入部、２３０…第２凸部、３００…ガイド溝。
【図１】
2014152868.tif 000003
【図２】
2014152868.tif 000004
【図３】
2014152868.tif 000005
【図４】
2014152868.tif 000006
【図５】
2014152868.tif 000007
【図６】
2014152868.tif 000008
【図７】
2014152868.tif 000009
【図８】
2014152868.tif 000010